(57)【要約】【課題】  Ｃ／Ｎと受信レベルとを検出して、これらの検出に基づいて、より精度の高い送信電力制御を行うことができる衛星通信装置を得ることを目的とする。【解決手段】  送信電力制御部３において、Ｃ／Ｎ検出回路７により受信信号からＣ／Ｎを検出し、検出したＣ／ＮとＣ／Ｎ基準値とをＣ／Ｎ比較演算回路８により比較演算して変化量を求める。受信機２から入力される受信レベルと、Ｃ／Ｎ比較演算回路８での比較演算結果とに基づいて、自動劣化量判定回路１０は回線の劣化量を自動的に判定する。Ｃ／Ｎの変化量がしきい値より大きい場合において、受信レベルの変化量がしきい値より小さいとき、回線状況は蝕等の外乱状態であると推定し、受信レベル検出結果を選択して送信電力補正を行う。【選択図】        図２
2007214980.tif 000002
【特許請求の範囲】
【請求項１】
衛星回線における電波を受信する受信機と、この受信機により受信した受信信号に基づいて送信電力を制御する送信電力制御部と、この送信電力制御部による電力制御により送信電力を変化して衛星回線へ送信する送信機とを備え、上記送信電力制御部は、上記受信信号から検出したＣ／Ｎの変化量、または上記受信信号のレベルの変化量のいずれかを選択し、選択した変化量に基づいて上記送信機が送信する送信電力を制御することを特徴とする衛星通信装置。
【請求項２】
衛星回線における電波を受信する受信機と、この受信機により受信した受信信号に基づいて送信電力を制御する送信電力制御部と、この送信電力制御部による電力制御により送信電力を変化して衛星回線へ送信する送信機とを備え、上記送信電力制御部は、上記受信信号から検出したＣ／Ｎの変化量が大きい場合において、上記受信信号のレベルの変化量が小さいときには、上記受信信号のレベルの変化量に基づいて送信電力を制御することを特徴とする衛星通信装置。
【請求項３】
衛星回線における電波を受信する受信機と、この受信機により受信した受信信号に基づいて送信電力を制御する送信電力制御部と、この送信電力制御部による電力制御により送信電力を変化して衛星回線へ送信する送信機とを備え、上記送信電力制御部は、上記受信信号から検出したＣ／Ｎの変化量が大きい場合において、上記受信信号のレベルの変化量が大きいときには、上記受信信号から検出したＣ／Ｎの変化量に基づいて送信電力を制御することを特徴とする衛星通信装置。
【発明の詳細な説明】
【技術分野】
【０００１】
この発明は、衛星通信回線の品質劣化量に基づいて送信電力を制御し、品質劣化量を補償して衛星通信を行う衛星通信装置に関するものである。
【背景技術】
【０００２】
衛星通信回線の品質は大気中の気象条件に著しく左右されるため、衛星通信回線を途切れることなく維持するには、気象条件の変化により劣化した品質劣化量に基づいて送信電力を制御する必要がある。例えば、特開平９−４６２８６号公報には、送信電力の制御技術が記載されている。この公報に記載の送信電力制御は、受信信号のＣ／Ｎ（キャリア対ノイズ比）をモニタする回路と、受信信号の受信レベルをモニタする回路とを有し、これらの回路の切り替えにより送信電力制御しており、さらには、いずれかの回路の故障に基づく異常状態を監視することを行って、より高品位な送信電力制御を行うものである。
【０００３】
【特許文献１】特開平９−４６２８６号公報
【発明の開示】
【発明が解決しようとする課題】
【０００４】
特開平９−４６２８６号公報に記載された従来の技術によれば、Ｃ／Ｎ検出回路と受信レベル検出回路の故障を監視して送信制御するものの、蝕等の外乱入力に対する送信電力制御は考慮されておらず、このような外乱入力に対して誤動作するという問題点があった。さらには、蝕等の外乱入力や、降雨等の影響等を考慮した送信電力制御を自動選択により行える衛星通信装置を得ることが技術的課題となっていた。
【０００５】
この発明は、上記のような問題を解決するためになされたもので、Ｃ／Ｎと受信レベルとを検出して、これらの検出に基づいて、より精度の高い送信電力制御を行うことができる衛星通信装置を得ることを目的とする。
【課題を解決するための手段】
【０００６】
請求項１の発明に係る衛星通信装置は、衛星回線における電波を受信する受信機と、この受信機により受信した受信信号に基づいて送信電力を制御する送信電力制御部と、この送信電力制御部による電力制御により送信電力を変化して衛星回線へ送信する送信機とを備え、上記送信電力制御部は、上記受信信号から検出したＣ／Ｎの変化量、または上記受信信号のレベルの変化量のいずれかを選択し、選択した変化量に基づいて上記送信機が送信する送信電力を制御するものである。
【０００７】
請求項２の発明に係る衛星通信装置は、衛星回線における電波を受信する受信機と、この受信機により受信した受信信号に基づいて送信電力を制御する送信電力制御部と、この送信電力制御部による電力制御により送信電力を変化して衛星回線へ送信する送信機とを備え、上記送信電力制御部は、上記受信信号から検出したＣ／Ｎの変化量が大きい場合において、上記受信信号のレベルの変化量が小さいときには、上記受信信号のレベルの変化量に基づいて送信電力を制御するものである。
【０００８】
請求項３の発明に係る衛星通信装置は、衛星回線における電波を受信する受信機と、この受信機により受信した受信信号に基づいて送信電力を制御する送信電力制御部と、この送信電力制御部による電力制御により送信電力を変化して衛星回線へ送信する送信機とを備え、上記送信電力制御部は、上記受信信号から検出したＣ／Ｎの変化量が大きい場合において、上記受信信号のレベルの変化量が大きいときには、上記受信信号から検出したＣ／Ｎの変化量に基づいて送信電力を制御するものである。
【発明の効果】
【０００９】
この発明によれば、衛星通信装置における送信電力制御部は、受信信号から検出したＣ／Ｎの変化量、または上記受信信号のレベルの変化量のいずれかを選択し、選択した変化量に基づいて送信電力を制御するので、蝕等の外乱入力や、降雨等の影響等を考慮した送信電力制御を自動選択により行うことができる。
【発明を実施するための最良の形態】
【００１０】
実施の形態１
【００１１】
この発明の実施の形態１に係る無線通信システムについて図１乃至図３を用いて説明する。図１はこの発明の実施の形態１に係る衛星通信装置の機能ブロック図である。１はアンテナ、２は衛星回線における電波を受信し、衛星毎に異なる受信周波数（例えばビーコン信号）を同一周波数の受信信号に変換する受信機、３は受信信号のＣ／Ｎを検出し、このＣ／Ｎと受信機２から出力される受信レベルとに基づいて送信電力を制御する送信電力制御部、４は衛星に送信する送信信号を生成する送信機であり、送信機４は送信電力制御部３からの制御により送信電力を変化することができる。図２は受信機２及び送信電力制御部３の機能ブロック図である。図２の受信機２において、５は受信信号を周波数変換する周波数変換回路、６はＡＦＣ（自動周波数制御）とＡＧＣ（自動ゲイン制御）とを行なうＡＦＣ／ＡＧＣ回路であり、ＡＧＣ部分において制御するＡＧＣ電圧（受信レベル）を検出して送信電力制御部３へ出力する。送信電力制御部３において、７は受信信号からＣ／Ｎを検出するＣ／Ｎ検出回路、８は検出したＣ／ＮとＣ／Ｎ基準値とを比較演算して変化量を求めるＣ／Ｎ比較演算回路、９はＣ／Ｎ基準値の入力点である。１０は受信機２から入力される受信レベルとＣ／Ｎ比較演算回路８での比較演算結果とに基づいて劣化量を自動的に判定する自動劣化量判定回路、１１はＣ＋Ｎ基準値の入力点、１２は自動劣化量判定回路１０が判定した劣化量の出力値に基づいて送信ロスを推定する送信ロス推定回路である。なお、受信機２から出力するＡＧＣ電圧はキャリア信号レベルに対応するものであり、厳密にはキャリア信号レベルと雑音レベルとを加算したレベルであり、これをＣ＋Ｎ値と表記することとする。送信電力制御部３の自動劣化量判定回路１０は、ＡＦＣ／ＡＧＣ回路６から入力されたＣ＋Ｎ値と、Ｃ／Ｎ比較演算回路８での比較演算結果とに基づいて劣化量を自動的に判定する。
【００１２】
図３はこの発明の実施の形態１に係る衛星通信装置の自動劣化量判定の処理フロー図である。図３のステップＳ１のＣ／Ｎ検出とステップＳ２のＣレベル検出とはリアルタイムに行なわれている。即ち、ステップＳ３のＣ／Ｎ測定は送信電力制御部３において、ステップＳ４のＣ＋Ｎ測定は受信機２において、それぞれリアルタイムで行なわれている。ステップＳ５において、Ｃ／Ｎ比較演算回路８は、Ｃ／Ｎ測定値とＣ／Ｎ基準値とを比較演算してＣ／Ｎ測定値の変化量を求める。Ｃ／Ｎ基準値として晴天時のＣ／Ｎ値をとれば、ステップＳ５によるＣ／Ｎ測定値の変化量は、晴天時には小さくなる。降雨時はＣ値が劣化するので、Ｃ／Ｎ測定値はＣ／Ｎ基準値（晴天時Ｃ／Ｎ値）に対して大きく変化するので、ステップＳ５におけるＣ／Ｎ測定値の変化量は大きくなる。ステップＳ６において、自動劣化量判定回路１０は、ステップＳ５によるＣ／Ｎ測定値の変化量と所定のしきい値との大小を判定する。一方、ステップＳ７において、自動劣化量判定回路１０は、Ｃ＋Ｎ測定値とＣ＋Ｎ基準値（晴天時Ｃ＋Ｎ値を基準値とする。）とを比較演算してＣ＋Ｎ測定値の変化量を求める。ステップＳ８においては、ステップＳ７により求めたＣ＋Ｎ測定値の変化量と所定のしきい値との大小を判定する。
【００１３】
ステップＳ６とステップＳ８における所定のしきい値との大小判定結果に基づいて、ステップＳ９により処置内容と回線状況の推定を自動劣化量判定回路１０において行なう。まず、ステップＳ６における判定によりＣ／Ｎ測定値の変化量がしきい値より小さい場合において、ステップＳ８における判定によりＣ＋Ｎ測定値の変化量がしきい値より小さいとき（ケース１）、回線状況は晴天時状態であると推定し、Ｃ／Ｎ検出結果を選択し、送信電力補正は無しとする。また、ステップＳ６における判定によりＣ／Ｎ測定値の変化量がしきい値より小さい場合において、ステップＳ８における判定によりＣ＋Ｎ測定値の変化量がしきい値よりも大きいとき（ケース２）、回線状況は環境温度の変化状態であると推定し、Ｃ／Ｎ測定値の変化量が小さく受信良好であることから、Ｃ／Ｎ検出結果を選択し、送信電力補正は無しとする。
【００１４】
次に、ステップＳ６における判定によりＣ／Ｎ測定値の変化量がしきい値より大きい場合において、ステップＳ８における判定によりＣ＋Ｎ測定値の変化量がしきい値より小さいとき（ケース３）、回線状況は蝕等の外乱状態であると推定し、Ｃ＋Ｎ検出結果を選択し、送信電力補正をＣ＋Ｎ検出におけるＣ＋Ｎ測定値の変化量の所定しきい値超過分とする。また、ステップＳ６における判定によりＣ／Ｎ測定値の変化量がしきい値より大きい場合において、ステップＳ８における判定によりＣ＋Ｎ測定値の変化量がしきい値より大きいとき（ケース４）、回線状況は降雨状態であると推定し、Ｃ／Ｎ検出結果を選択し、送信電力補正をＣ／Ｎ検出におけるＣ／Ｎ測定値の変化量の所定しきい値超過分とする。
【図面の簡単な説明】
【００１５】
【図１】この発明の実施の形態１に係る衛星通信装置の機能ブロック図である。
【図２】受信機及び送信電力制御部の機能ブロック図である
【図３】この発明の実施の形態１に係る衛星通信装置の自動劣化量判定の処理フロー図である。
【符号の説明】
【００１６】
２  受信機
３  送信電力制御部
４  送信機
１０  自動劣化量判定回路
【図１】
2007214980.tif 000003
【図２】
2007214980.tif 000004
【図３】
2007214980.tif 000005